(57)【要約】【課題】電源制御装置がハードＲＳＴに掛かってしまう。【解決手段】電源制御方法は、１次側巻線、２次側第１巻線及び２次側第２巻線を有するトランスと、前記第１巻線から出力される第１ＡＣ電力をＤＣ駆動系電力に変換して第１負荷部へ供給する第１変換部と、前記第２巻線から出力される第２ＡＣ電力をＤＣロジック系電力に変換して第２負荷部へ供給する第２変換部と、を備えた電源装置に対して、第１負荷部及び第２負荷部を消費電力の異なる待機状態Ｍ２、省電力状態Ｍ４及び電源オフ状態Ｍ６に切り替え制御する方法である。状態Ｍ４から状態Ｍ６に移行するオートオフ移行条件が成立した場合（Ｓ１２２，Ｓ１２３）、第１負荷部が所定の大きさより小さい時に、第１負荷部を所定時間強制的に大きくすることで（Ｓ２０１〜Ｓ２０３）、第２ＡＣ電力の電圧を上昇させて（Ｓ２０４〜Ｓ２０６）、ロジック系電力の電圧垂下を抑制する（Ｓ１３１〜Ｓ１３３）。【選択図】図９−２
2014023379.tif 000002
【特許請求の範囲】
【請求項１】
１次側交流電力を入力する１次側巻線と、前記１次側巻線に対し相互インダクタンスで結合されて２次側の第１交流電力を出力する２次側第１巻線と、前記１次側巻線に対し相互インダクタンスで結合されて２次側の第２交流電力を出力する２次側第２巻線と、を有するトランスと、
前記第１交流電力を直流の第１出力電力に変換して第１負荷部へ供給する２次側の第１変換部と、
前記第２交流電力を直流の第２出力電力に変換して第２負荷部へ供給する２次側の第２変換部と、
を備えた電源装置に対して、
前記第１負荷部及び前記第２負荷部を消費電力の異なる第１状態、第２状態及び第３状態に切り替え制御する電源制御方法であって、
前記第２状態から前記第３状態に移行するオートオフ移行条件が成立した場合、前記第１負荷部が所定の大きさより小さい時に、前記第１負荷部を所定時間強制的に大きくすることで、前記第２交流電力の電圧を上昇させて前記第２出力電力の電圧垂下を抑制することを特徴とする電源制御方法。
【請求項２】
前記オートオフ移行条件が成立した場合とは、オートオフ命令を受信した時であることを特徴とする請求項１記載の電源制御方法。
【請求項３】
入力交流電力を直流に変換した後にスイッチングして１次側交流電力を生成する１次側変換部と、
前記１次側交流電力を入力する１次側巻線と、前記１次側巻線に対し相互インダクタンスで結合されて２次側の第１交流電力を出力する２次側第１巻線と、前記１次側巻線に対し相互インダクタンスで結合されて２次側の第２交流電力を出力する２次側第２巻線と、を有するトランスと、
前記第１交流電力を直流の第１出力電力に変換して第１負荷部へ供給する２次側の第１変換部と、
前記第２交流電力を直流の第２出力電力に変換して第２負荷部へ供給する２次側の第２変換部と、
を備えた電源装置に対して、
前記第１負荷部及び前記第２負荷部を消費電力の異なる第１状態、第２状態及び第３状態に切り替え制御する制御部を有する電源制御装置であって、
前記制御部は、
前記第２状態から前記第３状態に移行するオートオフ移行条件が成立した場合、前記第１負荷部が所定の大きさより小さい時に、前記第１負荷部を所定時間強制的に大きくすることで、前記第２交流電力の電圧を上昇させて前記第２出力電力の電圧垂下を抑制することを特徴とする電源制御装置。
【請求項４】
前記オートオフ移行条件が成立した場合とは、オートオフ命令を受信した時であることを特徴とする請求項３記載の電源制御装置。
【請求項５】
前記第１状態が待機状態、前記第２状態が省電力状態、及び、前記第３状態が前記入力交流電力の入力を遮断する電源オフ状態であり、前記第１状態＞前記第２状態＞前記第３状態、という消費電力の状態であることを特徴とする請求項３又は４記載の電源制御装置。
【請求項６】
前記制御部による前記第３状態への移行は、前記第２出力電力に基づきオン／オフ動作するリセット機能付き交流スイッチにより、前記入力交流電力の入力を遮断する電源断によることを特徴とする請求項３〜５のいずれか１項に記載の電源制御装置。
【請求項７】
前記制御部は、前記第１状態から前記第３状態へ切り替える際に、前記第１負荷部及び前記第２負荷部に流れる負荷電流を軽負荷状態にすることを特徴とする請求項３〜６のいずれか１項に記載の電源制御装置。
【請求項８】
前記第１負荷部は、前記第１出力電力により所定の動作を行う動作部を有し、
前記第２負荷部は、前記第２出力電力により動作し、前記制御部により制御されて前記動作部を駆動する駆動部を有することを特徴とする請求項３〜７のいずれか１項に記載の電源制御装置。
【請求項９】
前記動作部は、ステッピングモータを有し、
前記制御部は、前記ステッピングモータの位置を保持するための励磁を行って、前記第１負荷部の大きさを所定時間強制的に大きくすることを特徴とする請求項８記載の電源制御装置。
【請求項１０】
請求項３〜９のいずれか１項に記載の電源装置及び電源制御装置と、前記第１負荷部及び前記第２負荷部としての画像形成部と、を備え、
前記画像形成部は、前記電源装置から出力される前記第１出力電力及び前記第２出力電力により動作して画像を形成することを特徴とする画像形成装置。
【請求項１１】
請求項１０記載の画像形成装置は、
印刷データを記録媒体に印刷するプリンタであることを特徴とする画像形成装置。
【発明の詳細な説明】
【技術分野】
【０００１】
本発明は、セルフ電源オフ機能であるオートオフ（Auto  OFF）機能を有する電源装置に対する電源制御方法及び電源制御装置と、この電源制御装置を有する画像形成装置とに関するものである。
【背景技術】
【０００２】
従来、インパクトプリンタ等の画像形成装置に用いられる電源装置は、小型軽量で効率良く電力を取り出すことのできること、及び、２次側において多種類の出力電圧を取り出すことのできることから、スイッチング電源装置が使用されることが多い。
【０００３】
従来のスイッチング電源装置として、例えば、特許文献１に記載された１コンバータ方式のスイッチング電源装置では、通常の動作を行う通常モードの他に、待機モード（即ち、２次側の少なくとも１つの出力電圧を一定に維持しながら他の出力電圧を低下させるモード）を備えている。１コンバータ方式とは、電圧変換用のトランスの１次側制御と力率改善とを、そのトランスの１次側に設けた１つのスイッチング素子により制御する方式である。
【０００４】
この１コンバータ方式のスイッチング電源装置は、１次側巻線と第１及び第２の２次側巻線とを有するトランスと、スイッチング信号に従って１次側巻線に電流を流す１つのスイッチング素子と、第１及び第２の２次側巻線に発生する電圧を整流する第１及び第２の整流回路と、第１の整流回路の出力電圧を検出してフィードバック信号を生成する２次側検出回路と、第１の整流回路が通常モードにおいては第１の電圧を出力し、待機モードにおいては第１の電圧よりも小さい第２の電圧を出力するようにスイッチング信号を設定する１次側制御回路と、第２の整流回路から出力電圧が供給されて通常モード又は待機モードのいずれのモードにおいても定電圧を出力する定電圧出力回路と、を備えている。
【先行技術文献】
【特許文献】
【０００５】
【特許文献１】特開２００６−３０４４２９号公報
【発明の概要】
【発明が解決しようとする課題】
【０００６】
近年、電源装置に対する更なる省電力化から、オートオフ機能を備えた電源装置に対する電源制御装置が要望されている。このような要望を満たすものとして、例えば、現行から電源構成を変更せず、オートオフ機能を満足させる方法の１つとして、リセット機能付き交流（以下「ＡＣ」という。）スイッチを使用して対応する方法がある。
【０００７】
しかしながら、特許文献１に記載された従来の１コンバータ方式の電源構成で、駆動系出力部及びロジック系出力部を有し、その駆動系出力部側にフィードバック回路が実装されている電源装置において、リセット機能付きＡＣスイッチを適用した場合には、次のような課題が生じる。
【０００８】
前記電源装置に対する電源制御装置において、省電力状態時（例えば、各出力部が軽負荷時又はオフ時）に、リセット機能付きＡＣスイッチを駆動させるためのコイルに、ロジック系出力部の電流を流した場合（例えば、ロジック負荷を急激に使用した場合）、ロジック系出力電圧が垂下し、電源制御装置に設けられたハードリセット（ＲＳＴ）（即ち、ロジック系出力電圧が低下した際に、誤動作防止用としてコイルのオン／オフ制御を行う電源制御装置の動作を停止させる処理）に掛かってしまい、不利不便であるという課題があった。
【課題を解決するための手段】
【０００９】
本発明の電源制御方法は、１次側ＡＣ電力を入力する１次側巻線、前記１次側巻線に対し相互インダクタンスで結合されて２次側の第１ＡＣ電力を出力する２次側第１巻線、及び前記１次側巻線に対し相互インダクタンスで結合されて２次側の第２ＡＣ電力を出力する２次側第２巻線を有するトランスと、前記第１ＡＣ電力を直流（以下「ＤＣ」という。）の第１出力電力に変換して第１負荷部へ供給する２次側の第１変換部と、前記第２ＡＣ電力をＤＣの第２出力電力に変換して第２負荷部へ供給する２次側の第２変換部と、を備えた電源装置に対して、前記第１負荷部及び前記第２負荷部を消費電力の異なる第１状態、第２状態及び第３状態に切り替え制御する方法である。
【００１０】
そして、前記第２状態から前記第３状態に移行するオートオフ移行条件が成立した場合、前記第１負荷部が所定の大きさより小さい時に、前記第１負荷部を所定時間強制的に大きくすることで、前記第２ＡＣ電力の電圧を上昇させて前記第２出力電力の電圧垂下を抑制することを特徴とする。
【００１１】
本発明の電源制御装置は、入力ＡＣ電力をＤＣに変換した後にスイッチングして１次側交流電力を生成する１次側変換部と、前記１次側ＡＣ電力を入力する１次側巻線、前記１次側巻線に対し相互インダクタンスで結合されて２次側の第１ＡＣ電力を出力する２次側第１巻線、及び前記１次側巻線に対し相互インダクタンスで結合されて２次側の第２ＡＣ電力を出力する２次側第２巻線を有するトランスと、前記第１ＡＣ電力をＤＣの第１出力電力に変換して第１負荷部へ供給する２次側の第１変換部と、前記第２ＡＣ電力をＤＣの第２出力電力に変換して第２負荷部へ供給する２次側の第２変換部と、を備えた電源装置に対して、前記第１負荷部及び前記第２負荷部を消費電力の異なる第１状態、第２状態及び第３状態に切り替え制御する制御部を有する装置である。
【００１２】
そして、前記制御部は、前記第２状態から前記第３状態に移行するオートオフ移行条件が成立した場合、前記第１負荷部が所定の大きさより小さい時に、前記第１負荷部を所定時間強制的に大きくすることで、前記第２ＡＣ電力の電圧を上昇させて前記第２出力電力の電圧垂下を抑制することを特徴とする。
【００１３】
例えば、前記第１状態は待機状態、前記第２状態は省電力状態、及び、前記第３状態は前記入力ＡＣ電力の入力を遮断する電源オフ状態であり、前記第１状態＞前記第２状態＞前記第３状態、という消費電力の状態である。
【００１４】
又、前記制御部による前記第３状態への移行は、前記第２出力電力に基づきオン／オフ動作するリセット機能付きＡＣスイッチにより、前記入力ＡＣ電力の入力を遮断する電源断による。
【００１５】
本発明の画像形成装置は、前記発明の電源装置及び電源制御装置と、前記第１負荷部及び前記第２負荷部としての画像形成部と、を備え、前記画像形成部は、前記電源装置から出力される前記第１出力電力及び前記第２出力電力により動作して画像を形成することを特徴とする。
例えば、前記画像形成装置は、印刷データを記録媒体に印刷するプリンタである。
【発明の効果】
【００１６】
本発明の電源制御方法、電源制御装置及び画像形成装置によれば、制御部により、第２状態から第３状態へ切り替える場合、第１負荷部が所定の大きさよりも小さい時に、前記第１負荷部の大きさを所定時間強制的に大きくすることで、第２ＡＣ電力の電圧を上昇させている。そのため、第２出力電力の電圧垂下を防止することが可能になる。従って、第２出力電力の電圧垂下によるハードＲＳＴに掛かる課題を解消できる。又、電源装置の構成を従来の構成から変更することなく、安価な電源構成で、例えば、リセット機能付きＡＣスイッチを第２出力電力にて駆動することが可能となる。
【図面の簡単な説明】
【００１７】
【図１】図１は本発明の実施例１における電源ユニット５０の構成を示すブロック図である。
【図２】図２は本発明の実施例１における電源装置（例えば、電源ユニット）を搭載した画像形成装置（例えば、プリンタ）の外観を示す斜視図である。
【図３】図３は図２のプリンタの機構を示す概略の構成図である。
【図４】図４はステッピングモータの相励磁方法の例を示す信号波形図である。
【図５】図５は図２のプリンタ１の電気回路を示す概略の構成ブロック図である。
【図６】図６は図５中のリセット機能付きＡＣスイッチ４０を示す概略の構成図である。
【図７】図７は発明の実施例１におけるプリンタ１の装置状態遷移図である。
【図８】図８は実施例１の電源仕様例を示す図である。
【図９−１】図９−１は実施例１におけるプリンタ１の全体の動作を示すフローチャートである。
【図９−２】図９−２は実施例１におけるプリンタ１の全体の動作を示すフローチャートである。
【図１０−１】図１０−１は比較例の課題の概略の説明図である。
【図１０−２】図１０−２は本発明の実施例１の効果の概略説明図である。
【図１１】図１１は本発明の実施例２におけるプリンタ１の電気回路の概略の構成を示すブロック図である。
【図１２】図１２は実施例２の電源仕様例を示す図である。
【図１３−１】図１３−１は実施例２におけるプリンタ１の全体の動作を示すフローチャートである。
【図１３−２】図１３−２は実施例２におけるプリンタ１の全体の動作を示すフローチャートである。
【図１４−１】図１４−１は実施例１におけるプリンタ１の待機状態Ｍ２からオートオフ移行処理への概略の説明図である。
【図１４−２】図１４−２は本発明の実施例２の効果を説明するためのプリンタ１の待機状態Ｍ２からオートオフ移行処理への概略の説明図である。
【図１５】図１５は実施例１、２の応用例を示す図である。
【発明を実施するための形態】
【００１８】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１９】
（実施例１の構成）
図２は、本発明の実施例１における電源装置（例えば、電源ユニット）を搭載した画像形成装置（例えば、プリンタ）の外観を示す斜視図である。更に、図３は、図２のプリンタの機構を示す概略の構成図である。
【００２０】
図２及び図３に示すプリンタ１は、例えば、ドットインパクト方式のプリンタであり、縦横に並べたドットに対応する細いピンを、インクを吸着させたインク部材に叩き付けて（インパクト）、用紙である記録媒体１０に印刷するものである。このプリンタ１には、記録媒体１０を搬送するための台であるステージ１１が水平に設置されている。ステージ１１上には、記録媒体１０を搬送するためのフィードローラ１２が水平に配置されている。フィードローラ１２の一端には、ギア部１３が取り付けられ、このギア部１３が、フィードモータ１４側のギア部１５に噛合している。フィードモータ１４が回転することにより、このギア部１５に噛合するフィードローラ１２側のギア部１３を介して、フィードローラ１２が回転し、記録媒体１０を一定方向に搬送するようになっている。
【００２１】
フィードローラ１２と平行に、キャリッジシャフト１６が配置されている。キャリッジシャフト１６には、このキャリッジシャフト１６に沿って摺動可能に、キャリッジユニット１７が上下方向を固定されている。キャリッジユニット１７には、インパクト用の複数の細いピンを有する印字ヘッド１８が搭載されている。キャリッジユニット１７には、凹凸が形成された無端状のベルト１９が固定されている。ベルト１９は、これに形成された凹凸がスペースモータ２０のギア部２１と噛み合い、更に、このベルト１９が、プーリ（滑車）２２により水平に張られている。
【００２２】
プーリ２２は、スペースモータ２０とキャリッジユニット１７の支点となり、ベルト１９の移動に合わせ回転する。スペースモータ２０におけるギア部２１の凹凸は、ベルト１９の凹凸と噛み合っている。ベルト１９は、スペースモータ２０のギア部２１が回転することにより、左右水平方向に移動する構成になっている。
【００２３】
プリンタ１の外側には、操作（ＯＰ）基板を有するオペレータ用の操作パネル３０が設けられている。操作パネル３０には、表示用の複数の発光素子（例えば、発光ダイオードであるＬＥＤ）３１と、電源のオン／オフやメニューの設定等を行う複数のスイッチ（以下「ＳＷ」という。）３２等と、が設けられている。
【００２４】
フィードモータ１４及びスペースモータ２０は、例えば、第１出力電力としてのＤＣ駆動系電力Ｐ５１から生成されたパルス電力により動作するステッピングモータにより構成されている。ステッピングモータは、パルス電力に同期して動作する同期電動機であり、簡単な回路構成で、正確な位置決め制御を実現できる。
【００２５】
ステッピングモータは、例えば、複数の巻線が巻装されたリング状の固定子と、この固定子内で回転する回転子と、を備えている。相パルス（例えば、相Ａ及び相Ｂ）の電流を流す巻線を切り替えることによって回転子が一定の方向に回転する。停止時において回転子の位置を保持するために、相パルスは変化させず、巻線に電流を流して励磁することが必要である。
【００２６】
図４は、ステッピングモータの相励磁方法の例を示す信号波形図である。
回転子の位置を保持するためには、ステッピングモータを駆動するためのモータドライバの相Ａ及び相Ｂを変化させず（例えば、相Ａのロジック信号ＬＡｉを論理“Ｈ”レベルに固定すると共に、相Ｂのロジック信号ＬＢｉを論理“Ｌ”レベルに固定し）、モータドライバを介して、ステッピングモータの駆動系出力部のモータ電流Ｍｉを流す。
【００２７】
図５は、図２のプリンタ１の電気回路を示す概略の構成ブロック図である。
プリンタ１の電気回路は、入力ＡＣ電力としての商用電力であるＡＣ電力Ｐｉｎの入力を通電（オン）／遮断（オフ）するためのリセット機能付きＡＣスイッチ４０を有し、このＡＣスイッチ４０を介して、電源装置としての電源ユニット５０が接続されている。
【００２８】
ＡＣスイッチ４０は、入力されるＡＣ電力Ｐｉｎをオン／オフするためのトグルスイッチと、このトグルスイッチのオン／オフ状態を切り替えるためのコイル４２ａを有するソレノイドと、により構成されている。ＡＣスイッチ４０をオン状態にするには、ユーザが手動にてこのＡＣスイッチ４０を押下することにより、トグルスイッチがオンする。ＡＣスイッチ４０をオン状態からオフ状態にするには、ユーザによる手動にてトグルスイッチをオフするか、あるいは、オートオフ機能によりトグルスイッチをオフする方法がある。ＡＣスイッチ４０をオートオフ機能によりオフ状態にする場合は、ＤＣ電圧の第２出力電力としてのＤＣロジック系電力Ｐ５２の電流をソレノイドのコイル４２ａへ流すことにより、ソレノイドが突出してトグルスイッチがオフする。
【００２９】
電源ユニット５０は、電源基板を有し、この電源基板上に、スイッチング電源回路、第１出力部としての駆動系出力部５１、及び第２出力部としてのロジック系出力部５２が搭載されている。スイッチング電源回路は、ＡＣスイッチ４０を介して入力されるＡＣ電力ＰｉｎをＤＣに変換し、このＤＣをスイッチング素子によりオン／オフして高周波のＡＣにした後、高周波用トランスを介して２次側にＡＣエネルギーを伝達し、このＡＣエネルギーを、所定のＤＣ電圧の第１出力電力としてのＤＣ駆動系電力Ｐ５１と、このＤＣ駆動系電力Ｐ５１の電圧よりも低い電圧のＤＣロジック系電力Ｐ５２と、に変換して駆動系出力部５１とロジック系出力部５２とへそれぞれ供給する回路である。駆動系出力部５１は、スイッチング電源回路から供給されるＤＣ駆動系電力Ｐ５１を外部へ出力するためのコネクタ等により構成されている。ロジック系出力部５２は、スイッチング電源回路から供給されるＤＣロジック系電力Ｐ５２を外部へ出力するためのコネクタ等により構成されている。
【００３０】
電源ユニット５０内の駆動系出力部５１及びロジック系出力部５２の出力側には、これらの負荷である画像形成部（例えば、プリンタ全体を制御するための制御部６０、及び、動作部としての駆動電源動作部７６等）が接続されている。制御部６０は、電源ユニット５０から供給される駆動系電力Ｐ５１及びロジック系電力Ｐ５２を入力する制御基板を有している。制御基板には、制御手段としての演算処理機能を有する演算／処理部（以下「ＣＰＵ／ＬＳＩ」という。）６１と、このＣＰＵ／ＬＳＩ６１によりプログラム制御される第２負荷部と、を有している。前記第２負荷部としては、ＣＰＵ／ＬＳＩ６１によりプログラム制御される各種センサ動作回路６２、オートオフ駆動回路６３、３つのドライバ系ロジック出力オン／オフ回路６４，６６，６８、ヘッドドライバ６５、スペースドライバ６７、フィードドライバ６９、操作（ＯＰ）ドライバ７０、時間カウント部７１、状態監視部７２、オートオフシーケンス監視部７３、及びインタフェース（以下「Ｉ／Ｆ」という。）ドライバ７４が設けられている。
【００３１】
各種センサ動作回路６２には各種センサ８０が、オートオフ駆動回路６３にはＡＣスイッチ４０のコイル４２ａが、ヘッドドライバ６５には印字ヘッド１８が、スペースドライバ６７にはスペースモータ２０が、フィードドライバ６９にはフィードモータ１４が、操作ドライバ７０には操作パネル３０が、更に、Ｉ／Ｆドライバ７４にはＩ／Ｆコネクタ８１が、それぞれ接続されている。
【００３２】
駆動系出力部５１から送られてくる駆動系電力Ｐ５１は、図５中の破線で示すように、ヘッドドライバ６５、スペースドライバ６７、及びフィードドライバ６９を通して、印字ヘッド１８、スペースモータ２０、及びフィードモータ１４へそれぞれ供給される。
【００３３】
ロジック系出力部５２から送られてくるロジック系電力Ｐ５２は、図５中の２点鎖線で示すように、ＣＰＵ／ＬＳＩ６１、各種センサ動作回路６２、オートオフ駆動回路６３、ドライバ系ロジック出力オン／オフ回路６４，６６，６８、操作ドライバ７０、操作パネル３０、時間カウント部７１、状態監視部７２、オートオフシーケンス監視部７３、及びＩ／Ｆドライバ７４へ供給される。各種センサ動作回路６２へ供給されたロジック系電力Ｐ５２は、この各種センサ動作回路６２を通して、各種センサ８０へ供給される。オートオフ駆動回路６３へ供給されたロジック系電力Ｐ５２は、このオートオフ駆動回路６３を通して、ＡＣスイッチ４０のコイル４２ａへ供給される。各ドライバ系ロジック出力オン／オフ回路６４，６６，６８へ供給されたロジック系電力Ｐ５２は、これらの各ドライバ系ロジック出力オン／オフ回路６４，６６，６８を通して、ヘッドドライバ６５、スペースドライバ６７、及びフィードドライバ６９へそれぞれ供給される。
【００３４】
ここで、ＣＰＵ／ＬＳＩ６１は、各種センサ動作回路６２と、各ドライバ系ロジック出力オン／オフ回路６４，６６，６８と、駆動部（例えば、ヘッドドライバ６５、スペースドライバ６７及びフィードドライバ６９）と、操作ドライバ７０と、時間カウント部７１と、状態監視部７２と、オートオフシーケンス監視部７３と、Ｉ／Ｆドライバ７４と、へそれぞれ制御信号を与えて、これらをプログラム制御する。更に、ＣＰＵ／ＬＳＩ６１は、オートオフ信号ＣＳ６１をオートオフ駆動回路６３へ与えて、そのオートオフ駆動回路６３の動作を制御すると共に、アラーム信号ＡＬＭ−Ｐを電源ユニット５０へ与えて、この電源ユニット５０の動作を制御する機能を有している。
【００３５】
各種センサ動作回路６２は、ＣＰＵ／ＬＳＩ６１からの制御信号に基づき、ロジック系電力Ｐ５２をそのまま又は加工して、各種センサ８０へ与え、この各種センサ８０を動作させるための回路である。各種センサ８０は、記録媒体１０の有り無し状態等を検出するものであり、例えば、記録媒体１０がプリンタ１に挿入されたことを検出するセンサ（以下「ＴＢＬセンサ」という。）８０−１や、記録媒体１０がプリンタ１から排出されたことを検出するセンサ（以下「ＰＥセンサ」という。）８０−２等が設けられている。各種センサ動作回路６２は、プリンタ１が印字状態又は待機状態の際に、ＣＰＵ／ＬＳＩ６１からの制御信号に基づき、ロジック系電力Ｐ５２を出力して、常時、ＴＢＬセンサ８０−１、及びＰＥセンサ８０−２等を動作させる。更に、各種センサ動作回路６２は、プリンタ１が省電力状態へ移行した場合、ＣＰＵ／ＬＳＩ６１からの制御信号に基づき、ロジック系電力Ｐ５２を間欠してＴＢＬセンサ８０−１及びＰＥセンサ８０−２等へ与える。各種センサ８０の検出結果は、ＣＰＵ／ＬＳＩ６１により監視される構成になっている。
【００３６】
オートオフ駆動回路６３は、ＣＰＵ／ＬＳＩ６１から出力されるオートオフ信号ＣＳ６１に基づき、入力したロジック系電力Ｐ５２を出力してＡＣスイッチ４０のコイル４２ａへ与え、そのＡＣスイッチ４０をオン状態からオフ状態へ切り替える回路である。各ドライバ系ロジック出力オン／オフ回路６４，６６，６８は、ＣＰＵ／ＬＳＩ６１からの制御信号に基づき、入力されたロジック系電力Ｐ５２をオン／オフし、オンの時には、入力されたロジック系電力Ｐ５２をそのまま出力してヘッドドライバ６５、スペースドライバ６７及びフィードドライバ６９へそれぞれ与え、オフの時には、入力されたロジック系電力Ｐ５２を遮断する機能を有している。
【００３７】
ヘッドドライバ６５は、ドライバ系ロジック出力オン／オフ回路６４から出力されるロジック系電力Ｐ５２が入力されると動作し、ＣＰＵ／ＬＳＩ６１からの制御信号により制御されて、入力される駆動系電力Ｐ５１をオン／オフし、オンの時には、入力される駆動系電力Ｐ５１をそのまま出力して印字ヘッド１８を駆動させ、オフの時には、入力される駆動系電力Ｐ５１を遮断する機能を有している。スペースドライバ６７は、ドライバ系ロジック出力オン／オフ回路６６から出力されるロジック系電力Ｐ５２が入力されると動作し、ＣＰＵ／ＬＳＩ６１からの制御信号により制御されて、入力される駆動系電力Ｐ５１をオン／オフし、オンの時には、入力される駆動系電力Ｐ５１をそのまま出力してスペースモータ２０を駆動させ、オフの時には、入力される駆動系電力Ｐ５１を遮断する機能を有している。
【００３８】
更に、フィードドライバ６９は、ドライバ系ロジック出力オン／オフ回路６８から出力されるロジック系電力Ｐ５２が入力されると動作し、ＣＰＵ／ＬＳＩ６１からの制御信号により制御されて、入力される駆動系電力Ｐ５１をオン／オフし、オンの時には、入力される駆動系電力Ｐ５１をそのまま出力してフィードモータ１４を駆動させ、オフの時には、入力される駆動系電力Ｐ５１を遮断する機能を有している。印字ヘッド１８、スペースモータ２０、及びフィードモータ１４により、第１負荷部を構成する動作部としての駆動電源動作部７６が構成されている。
【００３９】
操作ドライバ７０は、ロジック系電力Ｐ５２が入力されると動作し、ＣＰＵ／ＬＳＩ６１からの制御信号により制御されて、操作パネル３０の状態を検出するためのものである。操作パネル３０は、ロジック系電力Ｐ５２が入力されると動作する。時間カウント部７１は、ロジック系電力Ｐ５２が入力されると動作し、ＣＰＵ／ＬＳＩ６１からの制御信号により制御されて、プリンタ１の待機状態、印字状態、省電力状態、及びオートオフ移行状態間における移行経過時間を検出するものである。尚、ユーザが、操作パネル３０のＳＷ３２を用いてプリンタ１のメニューを設定した場合（例えば、待機状態→省電力状態までの移行設定時間、省電力状態の有効／無効設定、省電力状態→オートオフ状態までの移行時間、又は、待機状態→オートオフ状態について設定した場合）、時間カウント部７１は、それらの各状態からの移行経過時間を検出する。
【００４０】
状態監視部７２は、ロジック系電力Ｐ５２が入力されると動作し、ＣＰＵ／ＬＳＩ６１からの制御信号により制御されて、プリンタ１の状態が待機状態、印字状態、省電力状態、又はオートオフ移行状態の何れの状態にあるかを検出し、待機状態→省電力状態→オートオフ移行状態、又は、待機状態→オートオフ移行状態を監視するものである。オートオフシーケンス監視部７３は、ロジック系電力Ｐ５２が入力されると動作し、ＣＰＵ／ＬＳＩ６１からの制御信号により制御されて、時間カウント部７１が、オートオフ移行状態へ移行するための所定時間が経過したと検出した場合、オートオフ条件が成立したことを監視し、その後、フィードドライバ６９へのロジック系電力Ｐ５２をオンさせると共に、フィードモータ１４への駆動系電力Ｐ５１をオンさせ、フィードモータ１４に相励磁用の保持電流を流すためのシーケンスを実行する機能を有している。
【００４１】
ＣＰＵ／ＬＳＩ６１は、前記シーケンスの実行後に、ＡＣスイッチ４０をオフするためのオートオフ信号ＣＳ６１をオートオフ駆動回路６３へ与える。オートオフ駆動回路６３は、オートオフ信号ＣＳ６１に基づき、入力されるロジック系電力Ｐ５２をそのままＡＣスイッチ４０のコイル４２ａへ出力してそのＡＣスイッチ４０をオフさせ、電源ユニット５０に入力されるＡＣ電力Ｐｉｎを遮断させる機能を有している。
【００４２】
Ｉ／Ｆドライバ７４は、ロジック系電力Ｐ５２が入力されると動作し、外部の制御装置（例えば、パーソナルコンピュータ、以下「ＰＣ」という。）から供給される印字データＤＡを、Ｉ／Ｆコネクタ８１を介して受信し、受信した印字データＤＡをＣＰＵ／ＬＳＩ６１へ送信する機能を有している。ＣＰＵ／ＬＳＩ６１は、受信した印字データＤＡに基づき、ドライバ系ロジック出力オン／オフ回路６４をオン状態に切り替え、このドライバ系ロジック出力オン／オフ回路６４を通して、ロジック系電力Ｐ５２をヘッドドライバ６５へ供給させる。ヘッドドライバ６５は、ＣＰＵ／ＬＳＩ６１からの制御信号に基づき、入力される駆動系電力Ｐ５１を印字ヘッド１８へ供給してこの印字ヘッド１８を駆動させ、印字する構成になっている。
【００４３】
ＣＰＵ／ＬＳＩ６１は、前記印字動作と同期し、スペースドライバ６７に対して、キャリッジユニット１７が移動する移動量分の制御信号を送信する。スペースドライバ６７は、その制御信号に基づき、駆動系電力Ｐ５１をスペースモータ２０へ供給してそのスペースモータ２０を駆動させ、キャリッジユニット１７を移動させる。更に、ＣＰＵ／ＬＳＩ６１では、フィードドライバ６９に対して、記録媒体１０を搬送する移動量分の制御信号を送信する。フィードドライバ６９は、その制御信号に基づき、駆動系電力Ｐ５１をフィードモータ１４へ供給してこのフィードモータ１４を駆動させ、記録媒体１０を搬送させる構成になっている。
【００４４】
本実施例１の電源制御装置は、操作パネル３０、リセット機能付きＡＣスイッチ４０、制御部６０、及び各種センサ８０等により構成されている。
【００４５】
図６（ａ）、（ｂ）は、図５中のリセット機能付きＡＣスイッチ４０を示す概略の構成図であり、同図（ａ）は、ＡＣスイッチ４０をオンする時の動作状態を示す図、及び、同図（ｂ）は、ＡＣスイッチ４０をオートオフする時の動作状態を示す図である。
【００４６】
ＡＣスイッチ４０は、入力されるＡＣ電力Ｐｉｎをオン／オフするためのトグルスイッチ４１と、このトグルスイッチ４１のオン／オフ状態を切り替えるためのソレノイド４２と、により構成されている。ソレノイド４２は、ロジック系電力Ｐ５２の電流（即ち、動作電流）ｉ５２ａを流すためのコイル４２ａと、このコイル４２ａ内を貫通して移動可能に挿入された円柱状の鉄心４２ｂと、この鉄心４２ｂの一端部側外周を包囲するように配置されたコイルばね４２ｃと、鉄心４２ｂの他端側に配置されたマグネット４２ｄと、により構成されている。鉄心４２ｂの一端側は、トグルスイッチ４１に対向して配置されている。
【００４７】
図６（ａ）に示すように、ＡＣスイッチ４０をオン状態にするには、ユーザがこのＡＣスイッチ４０を押下する。すると、コイルばね４２ｃが縮み、鉄心４２ｂの他端がマグネット４２ｄに吸着する。これにより、トグルスイッチ４１がオン状態になる。
【００４８】
ＡＣスイッチ４０をオン状態からオフ状態にするには、ユーザによる手動にてＡＣスイッチ４０を操作してトグルスイッチ４１をオフ状態にするか、あるいは、オートオフ機能により、トグルスイッチ４１をオフ状態にする。
【００４９】
図６（ｂ）に示すように、オートオフ機能により、ＡＣスイッチ４０をオン状態からオフ状態にする場合は、ＣＰＵ／ＬＳＩ６１からオートオフ信号ＣＳ６１が出力され、オートオフ駆動回路６３へ送られる。すると、オートオフ駆動回路６３は、入力されるロジック系電力Ｐ５２をそのまま出力して、このロジック系電力Ｐ５２の動作電流ｉ５２ａをソレノイド４２のコイル４２ａへ流す。これにより、コイル４２ａ中に磁束が発生して、マグネット４２ｄの磁気が打ち消され、コイルばね４２ｃの力で鉄心４２ｂが飛び出て、トグルスイッチ４１をオフ状態にする。
【００５０】
図１は、本発明の実施例１における図５中の電源ユニット５０の構成を示すブロック図である。
【００５１】
電源装置としての電源ユニット５０は、ＡＣスイッチ４０を介してＡＣ電力Ｐｉｎを入力する１次側変換部（例えば、ＡＣ入力部１０１、１次フィルタ部１０２、整流部１０３、平滑部１０４、及び、スイッチング素子としての電界効果トランジスタ（以下「ＦＥＴ」という。）１０７等）を有している。ＡＣ入力部１０１には、１次側のノイズ除去用フィルタからなる１次フィルタ部１０２が接続されている。１次フィルタ部１０２は、例えば、ノーマルモードノイズ除去用のアクロス・ライン・コンデンサ（Ｘコン）、コモンモードノイズ除去とノーマルモードノイズ除去用のライン・バイパス・コンデンサ（Ｙコン）、あるいは、コモンモードノイズ除去用のコモンモード・チョークコイル等で構成され、この出力側に、整流部１０３が接続されている。
【００５２】
整流部１０３は、１次フィルタ部１０２から出力されるＡＣ電力を全波整流する回路であり、この出力側に、平滑部１０４が接続されている。平滑部１０４は、整流部１０３にて全波整流されたＤＣ波形を平滑する回路であって、例えば、電解コンデンサ等により構成されている。この平滑部１０４の出力側には、高周波用トランス１０５が接続されている。トランス１０５は、１次側と２次側を絶縁するものであり、例えば、１次側ＡＣ電力を入力する１次側巻線としてのメイン巻線１０５ａと、このメイン巻線１０５ａに対して相互インダクタンスで結合された補助巻線１０５ｂと、メイン巻線１０５ａに対して相互インダクタンスで結合されて２次側の第１ＡＣ電力を出力するための２次側第１巻線としての２次側駆動系巻線１０５ｃと、メイン巻線１０５ａに対して相互インダクタンスで結合されて２次側の第２ＡＣ電力を出力するための２次側第２巻線としての２次側ロジック系巻線１０５ｄと、からなるフライバック型の１コンバータトランスである。
【００５３】
メイン巻線１０５ａの入力側には、回生部１０６と、１次側ＤＣ電力をスイッチングしてトランス１０５に流す１次側ＡＣ電力を生成するためのスイッチング素子としてのＦＥＴ１０７と、電流検出部１０８とが接続されている。メイン巻線１０５ａは、ＦＥＴ１０７のオン／オフにより、２次側駆動系巻線１０５ｃ及び２次側ロジック系巻線１０５ｄにエネルギーを供給する巻線である。回生部１０６は、ＦＥＴ１０７をオフした際に、メイン巻線１０５ａより発生する逆起電圧の回生ルートを形成する回路である。電流検出部１０８は、ＦＥＴ１０７に流れる電流値を電圧値に変換するものであり、抵抗器等で構成されている。
【００５４】
補助巻線１０５ｂの入力側には、制御集積回路（以下「制御ＩＣ」という。）起動電力供給部１０９と、制御ＩＣ１１０と、フィードバック部１１１−２と、アラーム部１１２−２と、補助巻線１０５ｂの出力電力を整流／平滑するための整流／平滑部１１３とが接続されている。
【００５５】
補助巻線１０５ｂは、制御ＩＣ１１０の電源供給用巻線である。制御ＩＣ起動電力供給部１０９は、制御ＩＣ１１０に対する起動電力を供給するものであり、直列接続された複数のツェナーダイオード等により構成されている。アラーム部１１２−２は、トランス１０５の２次側のアラーム部１１２−１が動作することにより連動して動作するものであり、フォトカプラにおけるトランジスタ等の受光側素子により構成されている。フィードバック部１１１−２は、トランス１０５の２次側のフィードバック部１１１−１が動作することにより連動して動作するものであり、フォトカプラにおける受光側トランジスタ等の受光側素子により構成されている。制御ＩＣ１１０は、フィードバック部１１１−２の出力電圧と電流検出部１０８の出力電圧とを比較し、スイッチング信号を出力してＦＥＴ１０７のオン／オフ時間（＝スイッチング周波数）を制御し、且つアラーム部１１２−２の出力電圧を監視し、このアラーム部１１２−２の出力電圧が予め定められている電圧値以上となった場合、ＦＥＴ１０７のスイッチングを強制的に停止させる機能を有している。
【００５６】
２次側駆動系巻線１０５ｃは、メイン巻線１０５ａのエネルギーを第１ＡＣ電力として２次側に出力するものであり、この出力側に、第１ＡＣ電力を第１出力電力としての駆動系電力Ｐ５１に変換する２次側の第１変換部（例えば、整流部１１４、平滑部１１５、フィードバック部１１１−１、フィードバック用基準電圧部１１６、及び駆動系出力部５１）が接続されている。
【００５７】
整流部１１４は、２次側駆動系巻線１０５ｃの出力電力を整流するものであり、この出力側に平滑部１１５が接続されている。平滑部１１５は、整流部１１４で整流された出力電力を平滑するものであり、この平滑後のＤＣ駆動系電力Ｐ５１が、フードバック部１１１−１、及びフィードバック用基準電圧部１１６を介して、駆動系出力部５１から外部へ出力される。フィードバック用基準電圧部１１６は、駆動系電力Ｐ５１の電圧を分圧したフィードバック基準電圧を出力するものであり、このフィードバック基準電圧がフィードバック部１１１−１へ供給される。フィードバック部１１１−１は、フィードバック用基準電圧部１１６から出力されるフィードバック基準電圧を監視し、このフィードバック部１１１−１の基準電圧よりもフィードバック基準電圧が大きい場合に動作する回路である。このフィードバック部１１１−１は、シャントレギュレータ等により構成された基準電圧監視用の素子と、フィードバック部１１１−２におけるフォトカプラの受光側素子を動作させるための発光側素子と、を有している。フィードバック部１１１−１におけるフォトカプラの発光側素子が発光することにより、フィードバック部１１１−２におけるフォトカプラの受光側素子が動作する。これらのフィードバック部１１１−１，１１１−２、フィードバック用基準電圧部１１６、及び制御ＩＣ１１０により、フィードバック回路が構成されている。
【００５８】
２次側ロジック系巻線１０５ｄは、２次側駆動系巻線１０５ｃと同様に、メイン巻線１０５ａのエネルギーを２次側の第２ＡＣ電力として出力するものであり、この出力側に、第２ＡＣ電力を第２出力電力としてのロジック系電力Ｐ５２に変換する２次側の第２変換部（例えば、整流部１１７、平滑部１１８、レギュレータ集積回路（以下「レギュレータＩＣ」という。）１１９、平滑部１２０、及び、ロジック系出力部５２）が接続されている。２次側ロジック系巻線１０５ｄからは、メイン巻線１０５ａの出力電圧に対し、トランス１０５の巻線比により、ロジック系で使用できる電圧まで降圧させた電圧が出力される。２次側駆動系巻線１０５ｃの出力エネルギーに応じて、２次側ロジック系巻線１０５ｄの出力電圧が変動する。
【００５９】
整流部１１７は、２次側ロジック系巻線１０５ｄの出力電力を整流するものであり、この出力側に、平滑部１１８が接続されている。平滑部１１８は、整流部１１７で整流されたＤＣ電圧を平滑するものであり、この平滑後のＤＣ電圧が、レギュレータＩＣ１１９の入力側に入力される。レギュレータＩＣ１１９は、一定電圧を出力するものであり、この出力側に、平滑部１２０を介してロジック系出力部５２が接続されている。平滑部１２０は、レギュレータＩＣ１１９の出力電圧を平滑してＤＣロジック系電力Ｐ５２を生成し、このＤＣロジック系電力Ｐ５２をロジック系出力部５２から外部へ出力させるものである。
【００６０】
駆動系出力部５１及びロジック系出力部５２の入力側には、アラーム部１１２−１が接続されている。アラーム部１１２−１は、フォトカプラの発光側素子を有し、駆動系電力Ｐ５１の電圧及びロジック系電力Ｐ５２の電圧を監視し、ある一定電圧以上の過電圧を検出した場合、又は、制御部６０内で異常状態と判断されてＣＰＵ／ＬＳＩ６１から出力されるアラーム信号ＡＬＭ−Ｐを入力した場合に、そのフォトカプラの発光側素子が発光するものである。アラーム部１１２−１内のフォトカプラの発光側素子が発光すると、アラーム部１１２−２内のフォトカプラの受光側素子が動作する。
【００６１】
オートオフ移行条件が成立した場合、制御部６０内のＣＰＵ／ＬＳＩ６１からオートオフ信号ＣＳ６１が出力されて、オートオフ駆動回路６３へ供給される。これにより、オートオフ駆動回路６３からロジック系電力Ｐ５２が出力され、このロジック系電力Ｐ５２の動作電流ｉ５２ａが、ＡＣスイッチ４０内のコイル４２ａに供給される。これにより、ＡＣスイッチ４０内のソレノイド４２が動作し、トグルスイッチ４１がオン状態からオフ状態に切り替わる構成になっている。
【００６２】
（実施例１のプリンタの装置状態遷移）
図７は、本発明の実施例１におけるプリンタ１の装置状態遷移図である。
【００６３】
図５中のＡＣスイッチ４０によってプリンタ１の電源がオン状態Ｍ１になった場合、プリンタ１は、先ず、第１状態としての待機状態Ｍ２となる。プリンタ１は、待機状態Ｍ２において印字データＤＡを受信した場合、印字状態Ｍ３へ移行し、印字終了後、待機状態Ｍ２へ移行する。待機状態Ｍ２から所定時間経過後、ユーザにより設定されたメニューにて省電力状態が有効の場合、プリンタ１は、第２状態としての省電力状態Ｍ４へ移行する。プリンタ１は、省電力状態Ｍ４にて、印字データＤＡを受信した場合、待機状態Ｍ２と同じ状態までプリンタ１の状態を戻し、印字状態Ｍ３へ移行する。省電力状態Ｍ４から所定時間経過した場合、プリンタ１は、オートオフ移行状態Ｍ５へ移行し、ＡＣスイッチ４０をオフして第３状態としての電源オフ状態Ｍ６になる。
【００６４】
尚、ユーザにより設定されたメニューにて省電力状態Ｍ４が無効である場合、プリンタ１は、待機状態Ｍ２からオートオフ移行までの所定時間経過後、オートオフ移行状態Ｍ５へ移行し、ＡＣスイッチ４０をオフして電源オフ状態Ｍ６になる。
【００６５】
（実施例１の電源仕様例）
図８（ａ）〜（ｃ）は、実施例１の電源仕様例を示す図であり、同図（ａ）は、ロジック系出力部５２の電源仕様、同図（ｂ）は、プリンタ１の各状態Ｍ２〜Ｍ４のロジック系出力部５２における消費電流である負荷電流ｉ５２、及び、同図（ｃ）は、リセット機能付きＡＣスイッチ４０を動作させるために必要なロジック系出力部５２の電流（即ち、ＡＣスイッチ４０のコイル４２ａの動作電流ｉ５２ａ）を示す図である。
【００６６】
図８（ａ）において、ロジック系出力部５２で設定された定格出力電圧ｖｔ５２は、５［Ｖ］であり、ロジック系出力部５２で使用可能な消費電流値である負荷電流値を示す定格電流ｉｔ５２は、１．０［Ｖ］である。定格電流ｉｔ５２以上の消費電流である負荷電流を使用した場合、過大電流を検出するアラーム部１１２−１，１１２−２により、ロジック系出力部５２の出力をオフ状態にする保護機能が働く。
【００６７】
図８（ｂ）において、ロジック系出力部５２における印字状態Ｍ３時の消費電流である負荷電流ｉ５２（Ｍ３）は０．４［Ａ］であり、待機状態Ｍ２時の負荷電流ｉ５２（Ｍ２）は０．４［Ａ］であり、省電力状態Ｍ４時の負荷電流ｉ５２（Ｍ４）は０．０８［Ａ］である。
【００６８】
図８（ｃ）において、ＡＣスイッチ４０のコイル４２ａの動作電流ｉ５２ａは、０．３〜０．４［Ａ］である。
【００６９】
図８の電源仕様の場合の電源容量の動作条件１、２は、以下の通りである。
待機状態Ｍ２からのＡＣスイッチ４０の動作条件１；
定格電流ｉｔ５２（＝１．０Ａ）≧
待機状態Ｍ２の負荷電流ｉ５２（Ｍ２）（＝０．４Ａ）
＋コイル４２ａの動作電流ｉ５２ａ（＝０．３〜０．４Ａ）
≧０．７〜０．８Ａ（←動作条件１を満足）
省電力状態Ｍ４からのＡＣスイッチ４０の動作条件２；
定格電流ｉｔ５２（＝１．０Ａ）≧
省電力状態Ｍ４の負荷電流ｉ５２（Ｍ４）（＝０．０８Ａ）
＋コイル４２ａの動作電流ｉ５２ａ（＝０．３〜０．４Ａ）
≧０．３８〜０．４８Ａ（←動作条件２を満足）
【００７０】
図８の電源仕様例の場合、待機状態Ｍ２の負荷電流ｉ５２（Ｍ２）から、ＡＣスイッチ４０のコイル４２ａを動作させた場合、又は、省電力状態Ｍ４の負荷電流ｉ５２（Ｍ４）から、ＡＣスイッチ４０のコイル４２ａを動作させた場合の負荷電流値が、電源仕様の定格電流ｉｔ５２内となる。そのため、本実施例１の電源ユニット５０では、図７に記載の各動作状態（Ｍ２又はＭ４）からＡＣスイッチ４０のコイル４２ａを動作させる動作条件１、２を満足する電源容量を持ち、電源仕様の定格電流ｉｔ５２の値に余裕（マージン）がある。
【００７１】
（実施例１の電源ユニットの動作）
図１に示す電源ユニット５０の動作を説明する。
【００７２】
例えば、駆動系出力部５１が軽負荷となり、この駆動系出力部５１から出力される駆動系電力Ｐ５１の電圧が上昇すると、フィードバック用基準電圧部１１６から出力されるフィードバック基準電圧が上昇する。フィードバック基準電圧が上昇すると、フィードバック部１１１−１が動作し、これと連動し、フィードバック部１１１−２が動作する。フィードバック部１１１−２が動作すると、制御ＩＣ１１０は、ＦＥＴ１０７のスイッチング周波数を低くし、トランス１０５の２次側駆動系巻線１０５ｃへ供給するエネルギーを抑制し、駆動系出力部５１の電圧上昇を抑える動作を行う。
【００７３】
又、駆動系出力部５１の負荷が上昇し、この駆動系出力部５１から出力される駆動系電力Ｐ５１の電圧が低下すると、フィードバック用基準電圧部１１６から出力されるフィードバック基準電圧が低下する。フィードバック基準電圧が低下すると、フィードバック部１１１−１がオフ状態になり、これと連動し、フィードバック部１１１−２がオフ状態になる。フィードバック部１１１−２がオフ状態になると、制御ＩＣ１１０は、ＦＥＴ１０７のスイッチング周波数を上昇させ、２次側駆動系巻線１０５ｃへ供給するエネルギー供給を高くし、駆動系出力部５１の電圧を上昇させる動作を行う。
【００７４】
トランス１０５における２次側ロジック系巻線１０５ｄからの出力電圧は、前記２次側駆動系巻線１０５ｃの出力電圧に追従して変化する。
【００７５】
（実施例１のプリンタの全体の動作）
図９−１及び図９−２は、実施例１におけるプリンタ１の全体の動作を示すフローチャートである。
【００７６】
図９−１のフローチャートのステップＳ１０１において、ユーザが図５中のＡＣスイッチ４０を押圧してオン状態にすると、ＡＣ電力ＰｉｎがそのＡＣスイッチ４０を介して電源ユニット５０に供給され、ステップＳ１０２へ進む。ステップＳ１０２において、プリンタ１が初期化され、ステップＳ１０３の待機状態Ｍ２へ移行し、ステップＳ１０４へ進む。ステップＳ１０４において、図５中の時間カウント部７１の時間カウントがリセットされ、その時間カウント部７１が時間カウントを開始し、ステップＳ１０５へ進む。ステップＳ１０５において、ユーザが図５中の操作パネル３０のＳＷ３２を操作してプリンタ１のメニューを設定し、このプリンタ１のメニューにて省電力機能が有効である場合（Ｙｅｓ）、ステップＳ１０６へ進む。
【００７７】
ステップＳ１０６において、時間カウント部７１は、省電力移行までの移行時間とこの時間カウント部７１内に設定された所定時間とを比較し、所定時間が経過した場合（Ｙｅｓ）、結合子（１）を介して、図９−２のフローチャートのステップＳ１１０へ進んで、省電力移行処理を開始する。ステップＳ１０６において、所定時間が経過していない場合（Ｎｏ）、ステップＳ１０８へ進む。ステップＳ１０８において、図５中のＣＰＵ／ＬＳＩ６１は、Ｉ／Ｆコネクタ８１及びＩ／Ｆドライバ７４からの受信データ（即ち、印字データＤＡの受信の有無）を監視しながら（Ｎｏ）、図７中の待機状態Ｍ２を継続する。ステップＳ１０８において、ＣＰＵ／ＬＳＩ６１は、Ｉ／Ｆコネクタ８１及びＩ／Ｆドライバ７４から受信データである印字データＤＡを受信した場合（Ｙｅｓ）、ステップＳ１０９へ進む。ステップＳ１０９において、プリンタ１は、図７中の印字状態Ｍ３へ移行し、図５中の駆動電源動作部７６によって記録媒体１０への印字を行い、この印字終了後に、ステップＳ１０４へ戻る。このステップＳ１０４では、図５中の時間カウント部７１の時間をリセットし、再度時間カウントを開始する。
【００７８】
ステップＳ１０５において、省電力機能が無効である場合（Ｎｏ）、ステップＳ１０７へ進む。ステップＳ１０７において、時間カウント部７１は、オートオフ移行までの移行時間とこの時間カウント部７１内に設定された所定時間とを比較し、所定時間が経過していない場合（Ｎｏ）、ステップＳ１０８へ進む。このステップＳ１０８において、図５中のＣＰＵ／ＬＳＩ６１は、Ｉ／Ｆコネクタ８１及びＩ／Ｆドライバ７４からの受信データを監視しながら、図７中の待機状態Ｍ２を継続し、Ｉ／Ｆコネクタ８１及びＩ／Ｆドライバ７４からの受信データである印字データＤＡを受信した場合（Ｙｅｓ）、ステップＳ１０９の印字状態Ｍ３へ移行する。ステップＳ１０７において、所定時間が経過している場合（Ｙｅｓ）、結合子（２）を介して、図９−２のフローチャートのステップＳ１２２へ進み、オートオフ移行処理を開始する。
【００７９】
ステップＳ１０６から図９−２のフローチャートのステップＳ１１０へ進んで、省電力移行処理を開始する場合、図５中のＣＰＵ／ＬＳＩ６１の制御により、初めに、ステップＳ１１１において、フィードドライバ６９を通してフィードモータ１４へ供給する駆動系電力Ｐ５１をオフし、ステップＳ１１２において、スペースドライバ６７を通してスペースモータ２０へ供給する駆動系電力Ｐ５１をオフし、更に、ステップＳ１１３において、ヘッドドライバ６５を通して印字ヘッド１８へ供給する駆動系電力Ｐ５１をオフし、駆動系電力Ｐ５１の消費電力を軽減させる。
【００８０】
次に、ＣＰＵ／ＬＳＩ６１の制御により、ステップＳ１１４において、ドライバ系ロジック出力オン／オフ回路６８をオフして、フィードドライバ６９へ供給するロジック系電力Ｐ５２をオフし、ステップＳ１１５において、ドライバ系ロジック出力オン／オフ回路６６をオフして、スペースドライバ６７へ供給するロジック系電力Ｐ５２をオフし、ステップＳ１１６において、ドライバ系ロジック出力オン／オフ回路６４をオフして、ヘッドドライバ６５へ供給するロジック系電力Ｐ５２をオフすることにより、図７中の省電力状態Ｍ４で使用しない回路部分の電源をオフする。更に、ＣＰＵ／ＬＳＩ６１の制御により、ステップＳ１１７において、各種センサ駆動回路６２を通して各種センサ８０へ供給するロジック系電力Ｐ５２を、常時オン状態から、間欠オン状態（即ち、一定周期で各種センサ８０へ供給するロジック系電力Ｐ５２をオン／オフする状態）とし、各種センサ８０へ供給するロジック系電力Ｐ５２がオン状態の際に、各種センサ８０の出力変化を監視する処理に移行させる。その後、ＣＰＵ／ＬＳＩ６１の制御により、ステップＳ１１８において、操作パネル３０のＬＥＤ３１を図７中の省電力状態Ｍ４の表示（即ち、ＬＥＤ３１を点灯状態→点滅状態）とし、操作パネル３０へ供給するロジック系電力Ｐ５２の消費電力も軽減させる。
【００８１】
このようなステップＳ１１４〜Ｓ１１８の処理により、フィードドライバ６９、スペースドライバ６７、ヘッドドライバ６５、各種センサ８０、及び操作パネル３０へ供給する駆動系電力Ｐ５１の消費電力を軽減させた後、ステップＳ１１９へ進む。
【００８２】
ステップＳ１１９において、ＣＰＵ／ＬＳＩ６１の制御により、図７中の省電力状態Ｍ４へ移行し、ステップＳ１２０へ進む。ステップＳ１２０において、図５中の時間カウント部７１は、オートオフ移行までの移行時間とこの時間カウント部７１内に設定された所定時間とを比較し、オートオフ移行までの移行時間が所定時間を経過していない場合（Ｎｏ）、ステップＳ１２１へ進む。ステップ１２１において、図５中のＣＰＵ／ＬＳＩ６１は、Ｉ／Ｆコネクタ８１及びＩ／Ｆドライバ７４からの受信デ−タを監視しながら（Ｎｏ）、ステップＳ１１９の省電力状態Ｍ４を継続する。ステップＳ１２１において、ＣＰＵ／ＬＳＩ６１は、Ｉ／Ｆコネクタ８１及びＩ／Ｆドライバ７４からの受信デ−タである印字データＤＡを受信した場合（Ｙｅｓ）、ステップＳ１３５へ進む。
【００８３】
ステップＳ１３５において、図５中のＣＰＵ／ＬＳＩ６１は、図７の省電力状態Ｍ４から復旧（即ち、省電力移行処理においてロジック系電力Ｐ５２の供給をオフしたロジック回路部及び駆動回路を復旧）させて、プリンタ１を図７中の待機状態Ｍ２と同じ状態まで復旧させ、結合子（３）を介して、図９−１のフローチャートにおけるステップＳ１０９の印字状態Ｍ３へ移行する。ステップＳ１０９において、印字ヘッド１８によって記録媒体１０に印字され、この印字終了後に、ステップＳ１０４へ戻り、時間カウント部７１の時間をリセットし、再度時間カウントを開始する。
【００８４】
図９−２のフローチャートにおけるステップＳ１２０において、図５中の時間カウント部７１は、オートオフ移行までの移行時間とこの時間カウント部７１内に設定された所定時間とを比較し、オートオフ移行までの移行時間が所定時間を経過した場合（Ｙｅｓ）、結合子（２）を介して、ステップＳ１２２のオートオフ移行処理を開始する。又、図９−１のフローチャートにおけるステップＳ１０５において、ユーザにより設定されたプリンタ１のメニューにて省電力機能が無効であり（Ｎｏ）、更に、ステップＳ１０７において、図５中の時間カウント部７１が、オートオフ移行までの移行時間とこの時間カウント部７１内に設定された所定時間とを比較し、オートオフ移行までの移行時間が所定時間を経過した場合（Ｙｅｓ）、結合子（２）を介して、図９−２のフローチャートにおけるステップＳ１２２のオートオフ移行処理を開始する。
【００８５】
オートオフ移行処理が開始されると、ステップＳ１２３において、図５中の状態監視部７２は、プリンタ１が図７中の待機状態Ｍ２からオートオフ移行状態Ｍ５へ移行したか否か、又は省電力状態Ｍ４からオートオフ移行状態Ｍ５へ移行したか否かを検出し、省電力状態Ｍ４から移行した場合、ステップＳ２０１へ進む。ステップＳ２０１において、図５中のオートオフシーケンス監視部７３の処理に従い、ドライバ系ロジック出力オン／オフ回路６８をオン状態にして、フィードドライバ６９へのロジック系電力Ｐ５２の供給をオンし、更に、ステップＳ２０２〜Ｓ２０６へ順次進む。
【００８６】
即ち、オートオフシーケンス監視部７３の処理に従い、ステップＳ２０２において、フィードドライバ６９を通したフィードモータ１４への駆動系電力Ｐ５１の供給をオンし、ステップＳ２０３において、フィードドライバ６９を通してフィードモータ１４に、駆動系電力Ｐ５１における相励磁用の保持電流を印加して、駆動系負荷に消費させる。ステップＳ２０４において、図１の電源ユニット５０内の駆動系出力側に設けられたフィードバック部１１１−１，１１１−２及び制御ＩＣ１１０により、強制的に１次側ＦＥＴ１０７のスイッチング周波数を上昇させ、ステップＳ２０５において、そのスイッチング周波数の上昇動作に従い、トランス１０５の２次側ロジック系巻線１０５ｄからの２次側ロジック系出力電圧（即ち、レギュレータＩＣ１１９の入力電圧）の上昇が開始される。ステップＳ２０６において、レギュレータＩＣ１１９の入力電圧の上昇が安定する上昇安定時間（例えば、約１００ｍｓ程度）が経過するまで待機（Ｗａｉｔ）し、その後、ステップＳ１３１へ進む。
【００８７】
ステップＳ１３１において、図５中のＣＰＵ／ＬＳＩ６１は、オートオフ信号ＣＳ６１をオートオフ駆動回路６３へ与え、ステップＳ１３２へ進む。ステップＳ１３２において、オートオフ駆動回路６３により、ＡＣスイッチ４０のコイル４２ａにロジック系電力Ｐ５２の動作電流ｉ５２ａが流れ、ステップＳ１３３へ進む。ステップＳ１３３において、ＡＣスイッチ４０のリセット機能により、ソレノイド４２が働いてトグルスイッチ４１がオフし（正常動作）、ステップＳ１３４において、プリンタ１のＡＣスイッチ４０がオフ状態になって、電源ユニット５０へのＡＣ電力Ｐｉｎの入力が遮断される。
【００８８】
前記ステップＳ１２３において、状態監視部７２により、図７中の待機状態Ｍ２からオートオフ移行状態Ｍ５へ移行した場合、ステップＳ１３１へ進み、ＣＰＵ／ＬＳＩ６１からオートオフ信号ＣＳ６１を出力してオートオフ駆動回路６３へ与える処理へ移行する。
【００８９】
（実施例１の効果）
本実施例１における電源制御方法、電源制御装置及びプリンタ１によれば、以下の（ａ）のような比較例の課題を解決し、（ｂ）のような効果がある。
【００９０】
（ａ）  比較例の課題
図１０−１は、比較例の課題の概略の説明図である。
【００９１】
比較例の電源ユニットを備えたプリンタでは、例えば、図１、図５及び図７において、時刻ｔ１前の印字状態Ｍ３又は待機状態Ｍ２の時、１次側ＦＥＴ１０７が所定のスイッチング周波数ｆ１０７にてオン／オフ動作している。ＦＥＴ１０７がオン／オフ動作すると、トランス１０５のメイン巻線１０５ａにＡＣ電流が流れ、電磁誘導作用により、補助巻線１０５ｂ、２次側駆動系巻線１０５ｃ、及び２次側ロジック系巻線１０５ｄに所定のＡＣ電圧が発生する。２次側駆動系巻線１０５ｃに発生したＡＣ電圧は、整流部１１４及び平滑部１１５にてＤＣ電圧に変換され、この変換された所定の駆動系電力Ｐ５１が、駆動系出力部５１から出力されて駆動系負荷へ供給され、駆動系負荷電流ｉ５１が流れる。駆動系負荷の大きさが変わると、駆動系電力Ｐ５１の電圧が変動する。すると、フィードバック部１１１−１，１１１−２及び制御ＩＣ１１０によるフィードバック制御により、ＦＥＴ１０７のスイッチング周波数ｆ１０７が変化して、駆動系電力Ｐ５１における電圧の変動が抑制され、その電圧が一定の値に保持される。
【００９２】
又、２次側ロジック系巻線１０５ｄに発生したＡＣ電圧は、整流部１１７及び平滑部１１８にてＤＣ電圧（即ち、レギュレータＩＣ１１９の入力電圧ｖ１１８）に変換され、更に、レギュレータＩＣ１１９及び平滑部１２０にて一定のＤＣ電圧ｖ５２のロジック系電力Ｐ５２にされ、ロジック系出力部５２から出力されてロジック系負荷へ供給され、ロジック系負荷電流ｉ５２が流れる。
【００９３】
時刻ｔ１において、省電力状態Ｍ４になると、スイッチング周波数ｆ１０７が小さくなり、駆動系負荷電流ｉ５１が零ボルトになると共に、ロジック系負荷電流ｉ５２と、レギュレータＩＣ１１９の入力電圧ｖ１１８とが、小さくなる。この際、ロジック系電力Ｐ５２の電圧ｖ５２は、一定値に保持されている。
【００９４】
時刻ｔ２において、オートオフ移行条件が成立すると、オートオフ移行状態Ｍ５へ移行する。省電力状態時（例えば、駆動系出力部５１及びロジック系出力部５２が軽負荷時又はオフ時）において、時刻ｔ２で、ＡＣスイッチ４０を駆動させるためのコイル４２ａに、ロジック系電力Ｐ５２のロジック系負荷電流ｉ５２を流した場合（例えば、ロジック系負荷を急激に使用した場合）、レギュレータＩＣ１１９の入力電圧ｖ１１８と、ロジック系電力Ｐ５２の電圧ｖ５２と、が垂下する。そのため、制御部６０に設けられたハードリセット（ＲＳＴ）（即ち、ロジック系電力Ｐ５２の電圧ｖ５２が低下した際に、誤動作防止用としてコイル４２ａのオン／オフ制御を行うオートオフ駆動回路６３の動作を停止させる処理）に掛かってしまうという課題があった。
【００９５】
（ｂ）  実施例１の効果
図１０−２は、本発明の実施例１の効果の概略説明図である。
【００９６】
本実施例１の電源ユニット５０は、駆動系出力部５１及びロジック系出力部５２を有し、フィードバック用基準電圧部１１６、フィードバック部１１１−１，１１１−２及び制御ＩＣ１１０からなる電圧監視用のフィードバック回路が駆動系出力側に実装されている１コンバータ構成のスイッチング電源装置である。このような電源ユニット５０において、図１０−２に示す時刻ｔ１〜ｔ１１の省電力状態Ｍ４から、時刻ｔ１１時に、オートオフ移行状態Ｍ５へ移行する際に、駆動系出力部５１が軽負荷状態の場合、フィードモータ１４に相励磁用の保持電流を流し、時刻ｔ１１〜ｔ１２〜ｔ１３の間、１次側のＦＥＴ１０７のスイッチング周波数ｆ１０７を強制的に上昇させることにより、トランス１０５の２次側ロジック系巻線１０５ｄからの２次側ロジック系出力電圧（即ち、レギュレータＩＣ１１９の入力電圧ｖ１１８）を強制的に上昇させ、時刻ｔ１１〜ｔ１２の入力電圧ｖ１１８の安定期間Ｔ経過後、時刻ｔ１２〜ｔ１３の間、ＡＣスイッチ４０のコイル４２ａへロジック系負荷電流ｉ５２を流す構成にしている。
【００９７】
このような構成により、時刻ｔ１２〜ｔ１３の間、レギュレータＩＣ１１９の入力電圧ｖ１１８が上昇しているので、レギュレータＩＣ１１９の入出力電圧差を確保できるようになり、ロジック系出力部５２の電圧垂下を防止することが可能となる。従って、比較例のような、ロジック系電力Ｐ５２の電圧垂下によるハードＲＳＴに掛かる課題を解消できる。
【００９８】
又、電源ユニット５０の構成を従来の構成から変更（例えば、２コンバータ方式等）することなく、安価な電源構成で、ＡＣスイッチ４０のコイル４２ａをロジック系電力Ｐ５２にて駆動することが可能となる。
【実施例２】
【００９９】
（実施例２の構成）
図１１は、本発明の実施例２におけるプリンタ１の電気回路の概略の構成を示すブロック図であり、実施例１の図５中の要素と共通の要素には共通の符号が付されている。
【０１００】
本実施例２のプリンタ１の電気回路では、実施例１と同様に、ＡＣ電力Ｐｉｎの入力をオン／オフするためのリセット機能付きＡＣスイッチ４０を介して、電源装置としての電源ユニット５０が接続されている。電源ユニット５０は、実施例１と同様に、駆動系電力Ｐ５１及びロジック系電力Ｐ５２を出力する回路であり、この出力側に、実施例１の制御部６０とは異なる構成の制御部６０Ａが接続されている。
【０１０１】
本実施例２の制御部６０Ａでは、実施例１の制御部６０に対して、新たに、第２負荷部に含まれるオートオフシーケンス待機電力削減部７５が追加されている。オートオフシーケンス待機電力削減部７５は、実施例１と同様に、電源ユニット５０内のロジック系出力部５２から供給されるロジック系電力Ｐ５２により駆動され、ＣＰＵ／ＬＳＩ６１から出力される制御信号により制御されて、プリンタ１が図７中の待機状態Ｍ２からオートオフ移行状態Ｍ５へ移行した際に、ＡＣスイッチ４０のコイル４２ａを駆動させるための電流容量を許容できるようにするために、ロジック系出力部５２の消費電力を削減する機能を有している。プリンタ１が待機状態Ｍ２からオートオフ移行状態Ｍ５へ移行する場合は、ＣＰＵ／ＬＳＩ６１から出力される制御信号に基づき、オートオフシーケンス待機電力削減部７５の処理が実行された後、オートオフシーケンス監視部７３の処理が実行される構成になっている。その他の図１１の電気回路の構成は、実施例１と同様である。
【０１０２】
本実施例２の電源制御装置は、実施例１と同様に、操作パネル３０、リセット機能付きＡＣスイッチ４０、制御部６０Ａ、及び各種センサ８０等により構成されている。
【０１０３】
（実施例２の電源仕様例）
図１２（ａ）〜（ｃ）は、実施例２の電源仕様例を示す図であり、実施例１の電源仕様例を示す図８（ａ）〜（ｃ）に対応している。図１２（ａ）は、ロジック系出力部５２の電源仕様、図１２（ｂ）は、プリンタ１の各状態Ｍ２〜Ｍ４のロジック系出力部５２における消費電流である負荷電流ｉ５２、及び、図１２（ｃ）は、ＡＣスイッチ４０を動作させるために必要なロジック系出力部５２の電流（即ち、ＡＣスイッチ４０のコイル４２ａの動作電流ｉ５２ａ）を示す図である。
【０１０４】
図１２（ａ）において、ロジック系出力部５２で設定された定格出力電圧ｖｔ５２は、５［Ｖ］であり、ロジック系出力部５２で使用可能な消費電流値である負荷電流値を示す定格電流ｉｔ５２は、実施例１の１．０［Ｖ］よりも小さな０．５［Ｖ］である。定格電流ｉｔ５２以上の消費電流である負荷電流を使用した場合、実施例１と同様に、過大電流を検出する図１中のアラーム部１１２−１，１１２−２等により、ロジック系出力部５２の出力をオフ状態にするための保護機能等が働く。
【０１０５】
図１２（ｂ）において、実施例１と同様に、ロジック系出力部５２における印字状態Ｍ３時の消費電流である負荷電流ｉ５２（Ｍ３）は０．４［Ａ］であり、待機状態Ｍ２時の負荷電流ｉ５２（Ｍ２）は０．４［Ａ］であり、省電力状態Ｍ４時の負荷電流ｉ５２（Ｍ４）は０．０８［Ａ］である。
【０１０６】
図１２（ｃ）において、実施例１と同様に、ＡＣスイッチ４０のコイル４２ａの動作電流ｉ５２ａは、０．３〜０．４［Ａ］である。
【０１０７】
図１２の電源仕様の場合の電源容量の動作条件１、２は、以下の通りである。
待機状態Ｍ２からのＡＣスイッチ４０の動作条件１；
定格電流ｉｔ５２（＝０．５Ａ）≧
待機状態Ｍ２の負荷電流ｉ５２（Ｍ２）（＝０．４Ａ）
＋コイル４２ａの動作電流ｉ５２ａ（＝０．３〜０．４Ａ）
≧０．７〜０．８Ａ
（←動作条件１を満足していないので仕様オーバ（ＮＧ））
省電力状態Ｍ４からのＡＣスイッチ４０の動作条件２；
定格電流ｉｔ５２（＝０．５Ａ）≧
省電力状態Ｍ４の負荷電流ｉ５２（Ｍ４）（＝０．０８Ａ）
＋コイル４２ａの動作電流ｉ５２ａ（＝０．３〜０．４Ａ）
≧０．３８〜０．４８Ａ
（←動作条件２を満足）
【０１０８】
図１２の電源仕様例において、待機状態Ｍ２の負荷電流ｉ５２（Ｍ２）から、ＡＣスイッチ４０のコイル４２ａを動作させた場合は、動作条件１を満足しないため、定格電流ｉｔ５２の値よりも大きな電流値となってしまう。そのため、過大電流により素子破損、又は、図１中のアラーム部１１２−１，１１２−２等により、ロジック系出力部５２の出力をオフするための保護機能等が働いてしまう。但し、省電力状態Ｍ４からＡＣスイッチ４０のコイル４２ａを動作させる場合は、電源仕様の定格電流ｉｔ５２内となり、動作条件２を満足できる電源ユニット５０である。
【０１０９】
（実施例２の動作）
図１３−１及び図１３−２は、実施例２におけるプリンタ１の全体の動作を示すフローチャートであり、実施例１におけるプリンタ１の全体の動作を示す図９−１及び図９−２のフローチャート中の要素と共通の要素には共通の符号が付されている。
【０１１０】
実施例１のフローチャートでは、図９−２中のステップＳ１２３において、図５中のＣＰＵ／ＬＳＩ６１及び状態監視部７２が、プリンタ１の待機状態Ｍ２又は省電力状態Ｍ４からの移行確認を行い、待機状態Ｍ２からの移行の場合には、ステップＳ１３１へ進んで、ＣＰＵ／ＬＳＩ６１からオートオフ駆動回路６３へ出力されるオートオフ信号ＣＳ６１がオンする。これに対し、本実施例２のフローチャートでは、図９−２中のステップＳ１２３と同様の図１３−２中のステップＳ１２３において、待機状態Ｍ２からの移行の場合には、実施例１とは異なり、結合子（４）を介して新たなステップＳ３００、Ｓ１２４〜Ｓ１３０の処理へ進み、結合子（５）を介して、図９−２中のステップＳ２０１と同様の図１３−２中のステップＳ２０１の処理へ進むようになっている。
【０１１１】
以下、本実施例２において、実施例１とは異なる処理について説明する。
図１３−１のステップ１０７において、図１１中のＣＰＵ／ＬＳＩ６１は、オートオフ移行までの移行時間と時間カウント部７１の時間とを比較し、所定時間経過した場合（Ｙｅｓ）、結合子（２）を介して、図１３−２のステップＳ１２２へ進み、オートオフ移行処理を開始し、ステップＳ１２３へ進む。ステップＳ１２３において、状態監視部７２は、プリンタ１が待機状態Ｍ２からオートオフ移行状態Ｍ５へ移行したか、又は省電力状態Ｍ４からオートオフ移行状態Ｍ５へ移行したかを検出し、待機状態Ｍ２からオーオフ移行状態Ｍ５へ移行した場合、結合子（４）を介してステップＳ３００へ進む。
【０１１２】
ステップＳ３００において、ＣＰＵ／ＬＳＩ６１により制御されるオートオフシーケンス待機電力削減部７５は、オートオフシーケンス待機電力削減の処理を開始し、ＡＣスイッチ４０のコイル４２ａを駆動させるための電流容量を許容できるようにするために、順次、ステップＳ１２４〜Ｓ１３０の処理を行わせる。
【０１１３】
先ず、ステップＳ１２４において、フィードモータ１４への駆動系電力Ｐ５１の供給をオフし、ステップＳ１２５において、スペースモータ２０への駆動系電力Ｐ５１の供給をオフし、ステップＳ１２６において、印字ヘッド１８への駆動系電力Ｐ５１の供給をオフし、駆動系電力Ｐ５１の消費電力を軽減させる。
【０１１４】
次に、ステップＳ１２７において、フィードドライバ６９へのロジック系電力Ｐ５２の供給をオフし、ステップＳ１２８において、スペースドライバ６７へのロジック系電力Ｐ５２の供給をオフし、ステップＳ１２９において、ヘッドドライバ６５へのロジック系電力Ｐ５２の供給をオフし、ステップＳ１３０において、各種センサ動作回路６２を通して各種センサ８０へ供給するロジック系電力Ｐ５２供給を常時オン状態から、間欠オン状態（即ち、一定周期で各種センザ８０へ供給するロジック系電力Ｐ５２をオン／オフする）とし、各種センサ８０へのロジック系電力Ｐ５２がオン状態の際に、各種センサ８０の出力変化を監視する処理に移行させ、ＡＣスイッチ４０のコイル４２ａを駆動させるためのロジック系電力Ｐ５２の電源容量を確保し、結合子（５）を介して、実施例１と同様に、順次、ステップＳ２０１〜Ｓ２０６、Ｓ１３１〜Ｓ１３４の処理を行う。
【０１１５】
オートオフシーケンス監視部７３の処理に従い、最低限、駆動系電力Ｐ５２を消費させるために、ステップＳ２０１において、フィードドライバ６９へのロジック系電力Ｐ５２の供給をオンさせ、ステップＳ２０２において、フィードモータ１４への駆動系電力Ｐ５１の供給をオンさせ、ステップＳ２０３において、フィードモータ１４に相励磁用の保持電流を流す。
【０１１６】
次に、駆動系電力Ｐ５１を消費させることにより、図１の電源ユニット５０内の駆動系出力側に設けられたフィードバック用基準電圧部１１６、フィードバック部１１１−１，１１１−２、及び制御ＩＣ１１０からなるフィードバック回路により、ステップＳ２０４において、強制的に電源の１次側ＦＥＴ１０７のスイッチング周波数を上昇させ、その動作に従い、ステップＳ２０５において、トランス１０５の２次側ロジック系出力電圧（即ち、ロジック系出力側のレギュレータＩＣ１１９の入力電圧）が上昇を開始する。そして、ステップＳ２０６において、レギュレータＩＣ１１９の入力電圧の上昇が安定するまでの上昇安定時間だけ待つ（Ｗａｉｔ、約１００ｍｓ程度）。
【０１１７】
その後、ステップＳ１３１において、ＣＰＵ／ＬＳＩ６１からオートオフ駆動回路６３へ出力されるオートオフ信号ＣＳ６１をオンさせ、ステップＳ１３２において、ＡＣスイッチ４０のコイル４２ａにロジック系電力Ｐ５２の動作電流ｉ５２ａを流し、ステップＳ１３３において、ＡＣスイッチ４０がリセット機能によりオフする。これにより、ステップＳ１３４において、プリンタ１のＡＣスイッチ４０のオフによって、電源ユニット５０へのＡＣ電力Ｐｉｎの入力が遮断される。
【０１１８】
（実施例２の効果）
本実施例２における電源制御方法、電源制御装置及びプリンタ１によれば、以下の（ａ）のような不具合を解消し、（ｂ）のような効果がある。
【０１１９】
（ａ）  実施例１の不具合
図１４−１は、実施例１におけるプリンタ１の待機状態Ｍ２からオートオフ移行処理への概略の説明図であり、図１０−１中の対応する箇所には共通の符号が付されている。
【０１２０】
図１４−１中の時刻ｔ１０は、オートオフ移行条件成立時の時刻であり、この時刻ｔ１０において、プリンタ１が印字状態Ｍ３又は待機状態Ｍ２からオートオフ移行状態Ｍ５へ移行する。
【０１２１】
実施例１において、ユーザにより設定されたメニューにて省電力状態Ｍ４の設定が無効であり、且つ、時刻ｔ１０においてプリンタ１が待機状態Ｍ２からオートオフ移行状態Ｍ５へ移行する場合は、ロジック系電力Ｐ５２が、待機状態Ｍ２で使用するロジック系負荷電流ｉ５２のままの状態から、ＡＣスイッチ４０をオンさせる。そのため、元々ロジック系出力部５２側の電源容量にマージンがない電源を使用して、待機時消費電力抑制に対応するため、リセット機能付きＡＣスイッチ４０を使用する場合は、ロジック系電源の容量が不足するおそれがある。
【０１２２】
（ｂ）  実施例２の効果
図１４−２は、本発明の実施例２の効果を説明するためのプリンタ１の待機状態Ｍ２からオートオフ移行処理への概略の説明図である。
【０１２３】
図１４−２中の時刻ｔ１０は、図１４−１中の時刻ｔ１０に対応し、オートオフ移行条件成立時の時刻である。時刻ｔ１１，ｔ１２，ｔ１３は、図１０−２中の時刻ｔ１１，ｔ１２，ｔ１３にそれぞれ対応した時刻である。
【０１２４】
本実施例２によれば、ユーザにより設定されたメニューにて省電力状態Ｍ４の設定が無効状態である場合、時刻ｔ１０において、待機状態Ｍ２からオートオフ移行状態Ｍ５へ直接移行する際に、実施例１に対し、時刻ｔ１０〜ｔ１１の間、図１３−２中のステップＳ１２７〜Ｓ１３０のロジック系電力削減処理を行って、ＡＣスイッチ４０のコイル４２ａを駆動させるためのロジック系電源容量を確保している。そのため、前記（ａ）のような実施例１の不具合であるロジック系電源の容量不足を解消できる。
更に、実施例１と同様に、時刻ｔ１２において、ＡＣスイッチ４０を動作させる際のロジック系出力部５２の電圧垂下を防止することができ、ハードＲＳＴに掛かる課題も解消できる。
【０１２５】
（変形例）
本発明は、上記実施例１、２に限定されず、種々の利用形態や変形が可能である。この利用形態や変形例としては、例えば、次の（ａ）〜（ｃ）のようなものがある。
【０１２６】
（ａ）  図１５は、実施例１、２の応用例を示す図である。
実施例１及び実施例２では、オートオフ移行の条件について、図５及び図１１中の時間カウント部７１を用いた自己の時間カウントを条件として説明したが、これに限定されない。例えば、図１５に示すように、プリンタ１と、これを制御するためのホストＰＣ９０とが接続されており、ホストＰＣ９０からのリモート操作によってオートオフ命令ＣＳ９０をプリンタ１側で受信する。プリンタ１側では、受信したオートオフ命令ＣＳ９０をオートオフ移行の条件として、リセット機能付きＡＣスイッチ４０をオフするようにしても、実施例１、２と同様に、電圧垂下を低減できる。
【０１２７】
（ｂ）  図６のリセット機能付きＡＣスイッチ４０としては、他の構造のものを使用しても良い。又、本発明は、ＡＣスイッチ４０を使用しないで、他の回路構成にてオートオフ機能を持たせた電源ユニット５０及び画像形成装置にも適用が可能である。
【０１２８】
（ｃ）  プリンタ１としては、ドットインパクト方式のプリンタを例にして説明したが、他の方式のプリンタや、あるいは、プリンタ以外の他の画像形成装置にも、本発明を適用できる。
【符号の説明】
【０１２９】
１      プリンタ
１４      フィードモータ
２０      スペースモータ
３０      操作パネル
４０      ＡＣスイッチ
５０      電源ユニット
５１      駆動系出力部
５２      ロジック系出力部
６０，６０Ａ      制御部
６１      ＣＰＵ／ＬＳＩ
７６      駆動電源動作部
１０５      トランス
【図１】
2014023379.tif 000003
【図２】
2014023379.tif 000004
【図３】
2014023379.tif 000005
【図４】
2014023379.tif 000006
【図５】
2014023379.tif 000007
【図６】
2014023379.tif 000008
【図７】
2014023379.tif 000009
【図８】
2014023379.tif 000010
【図９−１】
2014023379.tif 000011
【図９−２】
2014023379.tif 000012
【図１０−１】
2014023379.tif 000013
【図１０−２】
2014023379.tif 000014
【図１１】
2014023379.tif 000015
【図１２】
2014023379.tif 000016
【図１３−１】
2014023379.tif 000017
【図１３−２】
2014023379.tif 000018
【図１４−１】
2014023379.tif 000019
【図１４−２】
2014023379.tif 000020
【図１５】
2014023379.tif 000021